(57)【要約】  【課題】  キーボード収納部をテーブル面に上昇させてからキーボードを取出すことができ、かつキーボード収納部の昇降によってテーブル面の開口部を開閉する。  【解決手段】  操作デスク盤１は、デスク盤本体２のテーブル面３に設けた開口部４に臨んでキーボード収納部５を備えている。キーボード収納部５は、昇降操作機構６によって昇降可能にデスク盤本体２に取付けられている。キーボード収納部５は、キーボード７を支持するキーボード支持面８と、該キーボード支持面８の上部を覆う天板９と、を備えていて、昇降操作機構６によってキーボード収納部５を所定の位置まで上昇させるとキーボード支持面８とテーブル面３の上面とが略面一に連続し、昇降操作機構６によって所定の位置まで下降させると天板９で前記テーブル面３の開口部４を閉塞する。  【選択図】  図４
2005130968.tif 000002
【特許請求の範囲】
【請求項１】
デスク盤本体のテーブル面に設けた開口部に臨んでキーボード収納部を設けたキーボード収納式操作デスク盤において、
前記キーボード収納部は、昇降操作機構によって昇降可能にデスク盤本体に取付けられていると共に、前記キーボード収納部は、キーボードを支持するキーボード支持面と、該キーボード支持面の上部を覆う天板と、前記キーボード支持面と天板との間に設けられたキーボード出入口と、を備えていて、前記昇降操作機構によって前記キーボード収納部を所定の位置まで上昇させると前記キーボード支持面と前記テーブル面の上面とが略面一に連続し、前記昇降操作機構によって所定の位置まで下降させると前記天板で前記開口部を閉塞することを特徴とするキーボード収納式操作デスク盤。
【請求項２】
前記昇降操作機構は、前記キーボード収納部の昇降をガイドする昇降ガイド部と、該昇降ガイド部に沿って前記キーボード収納部のキーボード支持面を前記テーブル面の上面とが略面一になる位置まで上昇させると共に、前記天板で前記開口部を閉塞する位置まで下降させるリンク機構と、該リンク機構の一端側に設けられていて前記天板が前記開口部を閉塞する位置あるときに該天板と共に前記開口部を閉塞していて、押し下げると前記リンク機構を介して前記キーボード収納部のキーボード支持面を前記テーブル面の上面と略面一になる位置まで上昇させる昇降操作板と、を備えていることを特徴とする請求項１に記載のキーボード収納式操作デスク盤。
【請求項３】
前記リンク機構には、前記天板と昇降操作板を前記開口部を閉塞する位置に付勢する付勢力が付与されていることを特徴とする請求項２に記載のキーボード収納式操作デスク盤。
【発明の詳細な説明】
【技術分野】
【０００１】
ビルや工場等の監視システムに使用されるキーボード収納式操作デスク盤に関するものである。
【背景技術】
【０００２】
キーボード収納式（キーボードが収納可能な）操作デスク盤として特許文献１及び特許文献２が知られている。
【０００３】
図５に示すように、特許文献１のキーボード収納式操作デスク盤１０１は、所謂引出し式と呼ばれているものであって、テーブル面１０２の下側にキーボード１０３を収納する引出し１０４が設けられていて、該引出し１０４をデスクテーブル１０２の手前側に引き出して、キーボード１０３を露出させるようになっている。
特許文献２のキーボード収納式操作デスク盤１０１は、所謂蓋式と呼ばれているものであって、図６に示すように、テーブル面１０２の一部を切り欠いて開口部１０５を形成すると共に、該開口部１０５に臨んでキーボード収納部１０６をテーブル面１０２の下部に固定的に形成し、前記開口部１０５を開閉する蓋１０７を支軸１０８でテーブル面１０２の下面に回動可能に取付けることにより構成されている。
【特許文献１】実用新案登録第２５２８４７３号公報
【特許文献２】特開２００２−７８５３６号公報
【発明の開示】
【発明が解決しようとする課題】
【０００４】
ところで、特許文献１のキーボード収納式操作デスク盤１０１は、引出し１０４をテーブル面１０２の手前側に引き出すという性質上、テーブル面１０２の前の席に座って引出し１０４を引出すためには、操作者が後ろに下がらなければならないという面倒があった。
【０００５】
また、特許文献２のキーボード収納式操作デスク盤１０１は、キーボード収納部１０６をテーブル面１０２の下部に固定的に形成しているために、キーボード収納部１０６そのものをテーブル面１０２の位置に上昇させてからキーボード収納部１０６に収納されているキーボード１０３を引き出すようにしてテーブル面１０２上に移動させることができなかった。また、前記支軸１０８を中心にして蓋１０７を回動させて前記開口部１０５を開閉させなければならず蓋の開閉作業が面倒であった。
【０００６】
本願発明の目的は、キーボード収納部を昇降可能にして、キーボード収納部をテーブル面の位置に上昇させてからキーボード収納部に収納されているキーボードを容易にテーブル面上に取出すことのできるキーボード収納式操作デスク盤を提供することにある。
【０００７】
また、本願発明の他の目的は、キーボード収納部の昇降によってテーブル面の開口部を自動的に開閉することのできるキーボード収納式操作デスク盤を提供することにある。
【課題を解決するための手段】
【０００８】
請求項１の発明は、デスク盤本体のテーブル面に設けた開口部に臨んでキーボード収納部を設けたキーボード収納式操作デスク盤において、
前記キーボード収納部を、昇降操作機構によって昇降可能にデスク盤本体に取付けると共に、前記キーボード収納部に、キーボードを支持するキーボード支持面と、該キーボード支持面の上部を覆う天板と、前記キーボード支持面と天板との間にキーボード出入口と、を設け、前記昇降操作機構によって前記キーボード収納部を所定の位置まで上昇させると前記キーボード支持面と前記テーブル面の上面とが略面一に連続し、また、前記昇降操作機構によって所定の位置まで下降させると前記天板で前記開口部を閉塞するようにした。
【０００９】
請求項２の発明は、前記昇降操作機構を、前記キーボード収納部の昇降をガイドする昇降ガイド部と、該昇降ガイド部に沿って前記キーボード収納部のキーボード支持面を前記テーブル面の上面とが略面一になる位置まで上昇させると共に、前記天板で前記開口部を閉塞する位置まで下降させるリンク機構と、該リンク機構の一端側に設けられていて前記天板が前記開口部を閉塞する位置あるときに該天板と共に前記開口部を閉塞する昇降操作板と、で構成し、該昇降操作板を押し下げると前記リンク機構を介して前記キーボード収納部のキーボード支持面を前記テーブル面の上面と略面一になる位置まで上昇させるようにした。
【００１０】
請求項３の発明は、前記リンク機構にバネ材のバネ力を作用させて、前記天板と昇降操作板を前記開口部を閉塞する位置に付勢、保持した。
【発明の効果】
【００１１】
（１）請求項１の発明は、キーボード収納部を上昇させてキーボード支持面とテーブル面の上面とを略面一に連続させた状態でキーボード収納部内に収納されているキーボードをテーブル面上に引き出すことができる。また、キーボード収納部を下降させて、キーボード収納部をテーブル面の下部に収納すると共に、天板でテーブル面の開口部を閉塞することができる。
（２）請求項２の発明は、天板と共に開口部を閉塞した状態にある昇降操作板を押し下げると前記リンク機構を介してキーボード収納部のキーボード支持面がテーブル面の上面とが略面一になる位置まで押し上げられる。
（３）請求項３の発明は、キーボード不使用時にはリンク機構に作用するバネ材のバネ力で天板および昇降操作板を付勢し、前記テーブル面の開口部を閉塞する位置にセットしておくことができる。
【発明を実施するための最良の形態】
【００１２】
図１はキーボード収納部を下降させた状態のキーボード収納式操作デスク盤の斜視図、図２は図１の要部の断面図、図３はキーボード収納部を上昇させた状態のキーボード収納式操作デスク盤の斜視図、図４は図３の要部の断面図である。図１に示すように、キーボード収納式操作デスク盤１は、デスク盤本体２のテーブル面３に設けたキーボード出入用の開口部４に臨んでキーボード収納部５が設けられている。
【００１３】
図２に示すように、キーボード収納部５は、昇降操作機構６によって昇降可能にデスク盤本体２内に取付けられている。キーボード収納部５は、キーボード７を支持するキーボード支持面８と、該キーボード支持面８の上部を覆う天板９と、を備えている。キーボード収納部５は、中空の直方体形状に形成されていて、前面側には、キーボード７を出し入れするためのキーボード出入口１０が設けられている。
【００１４】
そして、キーボード収納部５を昇降操作機構６によって所定の位置まで上昇させると、図３，図４に示すように、キーボード支持面８とテーブル面３の上面とが略面一になり、昇降操作機構６によって所定の位置まで下降させると、図１，図２に示すように、テーブル面３に設けた開口部４を天板９で閉塞するようになっている。
【００１５】
昇降操作機構６は、キーボード収納部５の昇降をガイドする昇降ガイド部１１と、該昇降ガイド部１１に沿ってキーボード収納部５を昇降させるリンク機構１２と、該リンク機構１２の一端側に設けられていて天板９が開口部４を閉塞する位置あるときに天板９と共に開口部４を閉塞していて、押し下げるとリンク機構１２を介してキーボード収納部５のキーボード支持面８をテーブル面３の上面と略面一になる位置まで上昇させる昇降操作板１３と、を備えている。
【００１６】
昇降ガイド部１１は、キーボード収納部５を垂直方向に昇降ガイドするようになっていると共に、下端部１１ａでキーボード収納部５を最下降位置に停止させるようになっている。
【００１７】
リンク機構１２は、第１のリンク桿２１と、該第１のリンク桿２１に略直角に連結された第２のリンク桿２２と、からなっている。第１のリンク桿２１は、中央部から第２のリンク桿２２側にやや偏心した位置が支点軸２３によって回動可能にデスク盤本体２側に取付けられていて、一端部側が第１のリンク桿２１の長さ方向に伸びる長孔状の軸受孔２４と軸２５を介してキーボード収納部５の下部の軸受部２６に連結され、他端部側が第１のリンク桿２１の長さ方向に伸びる長孔状の軸受孔２７と軸２８を介して第２のリンク桿２２の下端に連結されている。
【００１８】
第２のリンク桿２２は、昇降ガイド部２９によって垂直方向に昇降可能になっている。第２のリンク桿２２の上端部には前記昇降操作板１３に取付けられている。
【００１９】
リンク機構１２には、図示省略のバネ材により天板９を下降させると共に昇降操作板１３を上昇させる付勢力が付与されていて、キーボード収納部５の下端部が昇降ガイド部１１の下端部１１ａに押し付けられている。そして、前記天板９及び昇降操作板１３は、前記開口部４を閉塞する位置にセットされている（図２参照）。なお、３１は天板９及び昇降操作板１３を前記開口部４を閉塞する位置にロックして、キーボード７の不正使用を防止するための施錠装置である。
【００２０】
次に、キーボード収納式操作デスク盤１の作用について説明する。図１、図２に示す天板９及び昇降操作板１３で開口部４を閉塞している状態から、施錠装置３１による施錠を解除する。
【００２１】
そして、昇降操作板１３を下方に向けて押圧すると前記バネ材の付勢力に抗して第２のリンク桿２２が下降すると共に、第１のリンク桿２１が支点軸２３を中心に回動してキーボード収納部５を上昇させる。前述したように、第１のリンク桿２１は、中央部から第２のリンク桿２２側に偏心した位置が支点軸２３になっているので、昇降操作板１３の下降量よりも大きなキーボード収納部５の上昇量を得ることができる。そして、キーボード収納部５のキーボード支持面８がテーブル面３の上面と略面一の位置まで上昇すると図示省略のロック機構によりキーボード収納部５はロックされて上昇した状態に保持される。従って、キーボード７をキーボード収納部５のキーボード出入口１０から引き出してテーブル面３の上面に載せることが可能になる。
【００２２】
また、キーボード７を使用し終わったら、キーボード７をキーボード収納部５に収納して、前記ロック機構によるキーボード収納部５のロックを解除すれば前記バネ材の付勢力によって、キーボード収納部５が下降し、第１のリンク桿２１が支点軸２３を中心に回動して第２のリンク桿２２を上昇させて、天板９及び昇降操作板１３は、前記開口部４を閉塞する位置にセットされる。そして、施錠装置３１により施錠することにより、キーボード７の不正使用は阻止される。なお、前記実施の形態においては、キーボード出入口１０をキーボード収納部５の前面側に設けた場合を示したが、前記キーボード出入口１０は、キーボード収納部５の後面側に設けても、或いは左右の側面側に設けてもよいし、複数の面に設けてもよい。また、前記実施の形態においては、手動で昇降操作板１３およびキーボード収納部５を昇降させる場合を示したが、昇降操作板１３およびキーボード収納部５をモーター等を使用して電動で昇降させるようにしてもよい。
【図面の簡単な説明】
【００２３】
【図１】キーボード収納部を下降させた状態の斜視図。
【図２】図１の要部の断面図。
【図３】キーボード収納部を上昇せた状態の斜視図。
【図４】図３の要部の断面図。
【図５】特許文献１に記載された従来のキーボード収納式操作デスク盤の斜視図。
【図６】特許文献２に記載された従来のキーボード収納式操作デスク盤の斜視図。
【符号の説明】
【００２４】
１…キーボード収納式操作デスク盤
２…デスク盤本体
３…テーブル面
４…テーブル面の開口部
５…キーボード収納部
６…昇降操作機構
７…キーボード
８…キーボード支持面
９…天板
１０…キーボード出入口
１１…昇降ガイド部
１２…リンク機構
１３…昇降操作板
２１…第１のリンク桿
２２…第２のリンク桿
２３…支点軸
【図１】
2005130968.tif 000003
【図２】
2005130968.tif 000004
【図３】
2005130968.tif 000005
【図４】
2005130968.tif 000006
【図５】
2005130968.tif 000007
【図６】
2005130968.tif 000008